(57)【要約】【課題】蓄光発光する自発光体に、ＬＥＤ発光体を被覆する通電保護スリーブ体の頭部を着脱自在に取付ける蓄光発光とＬＥＤ発光の併用型標示体として、日没間際や照明灯の近くでも充分な視認効果が得られるようにしたバックライト式蓄光発光標示体を提供する。【解決手段】ＬＥＤ発光体が通電保護スリーブ体に被覆されており、無機質の着色顔料と蓄光顔料とを含有する合成樹脂製の蓄光発光する自発光体が前記通電保護スリーブ体の上部に着脱自在に取り付けられている。【選択図】    図４
2007310268.tif 000002
【特許請求の範囲】
【請求項１】
ＬＥＤ発光体が通電保護スリーブ体に被覆されており、無機質の着色顔料と蓄光顔料とを含有する合成樹脂製の蓄光発光する自発光体が前記通電保護スリーブ体の上部に着脱自在に取り付けられていることを特徴とするバックライト式蓄光発光標示体。
【請求項２】
ＬＥＤ発光球部とＬＥＤ発光部と口金部とからなるＬＥＤ発光体を挿入し被覆せしめ、外周部にパッキン固定部とゴムパッキン部とネジ込み凸部とを形成し、且リード線とを付設せしめる通電保護スリーブ体と、前記通電保護スリーブ体の上方部が挿入し、前記ＬＥＤ発光部とＬＥＤ発光球部と通電保護スリーブ体の上方部が嵌挿する中空部を有し、前記中空部の内側面部に前記ネジ込み凸部と嵌合するネジ込み凹部を形成し、且下方端部には開口部を有し、外周部にパネル引掛け部を設けた嵌挿部を形成し、前記嵌挿部の上方に蓄光発光部を有する無機質の着色顔料と蓄光顔料とを含有する合成樹脂の蓄光発光する自発光体とを別設し、前記自発光体の嵌挿部の中空部内に、前記通電保護スリーブ体の上方部を嵌挿し、前記ネジ込み凹部とネジ込み凸部とを嵌合し、前記開口部をパッキン固定部によって係止されている前記ゴムパッキンに密着せしめ、自発光体と通電保護スリーブ体が着脱自在に取付けられていることを特徴とするバックライト式蓄光発光標示体。
【請求項３】
前記自発光体の蓄光発光部が、湾曲形状をしており、且前記蓄光発光部の外径が前記嵌挿部の外径よりも大であることを特徴とする請求項２記載のバックライト式蓄光発光標示体。
【請求項４】
前記自発光体の嵌挿部が、パネルもしくはタイル等の孔部への嵌挿時に前記蓄光発光部のみが前記パネルもしくはタイル等の表面より突出し、前記嵌挿部の中空部内に前記通電保護スリーブ体の上方部を嵌脱自在に取り付けることを特徴とする請求項１又は請求項２又は請求項３記載のバックライト式蓄光発光標示体。
【発明の詳細な説明】
【技術分野】
【０００１】
本発明は、バックライト式蓄光発光標示体の分野に関するものである。
【背景技術】
【０００２】
従来蓄光式光輝材付発光体として、特開平１０−３２１９１６公開特許公報が開示されている。
【０００３】
この公開特許公報の発光体ａは、所定の厚さのリング状蓄光式光輝材４Ａの内側に設けた中空状の嵌挿部に、光源（ダイオード）２を投入せしめるケース体１からなる発光体（ＬＥＤ）ａを挿通し、前記発光体（ＬＥＤ）の頭部を前記リング状蓄光式光輝材４ａより突出状に組立てたものである。
【０００４】
そのため、前記蓄光式光輝材付発光体ａを構成する光輝材４Ａは、用途面として夜光反射チョッキを始め電光掲示板や交通標識などの発光体ａとして使用することができるとされているが、ケース体１の頭部が蓄光式光輝材４Ａより飛び出し部分が高いので、引掛り易く、しかも当りが強いと損傷するおそれもある。
【０００５】
さらに前記発光体ａを構成する蓄光式光輝材４Ａは、電光掲示板や交通標識などに使用するに当り、前記掲示板等のパネルに開けた窓孔に嵌め込んだとしても、引掛り部分が構成されていないので、容易に離脱するおそれがある。
【０００６】
さらに前記発光体ａは、ケース体１内に投入の光源（ダイオード）が停電してしまうと、蓄光式光輝材４Ａのみがリング状に光輝するだけで、光輝面を小さく、視認性能が劣ることが瀝然としている。
【０００７】
また前記した従来開示の発光体ａは、仮にも床面等に使用すると、蓄光式光輝材４Ａを前記床面等の孔部と同一面として埋設した場合、ケース体１の光輝照射部３が前記床面より飛出部分が高くなっており、歩行時において障害物となるおそれがあるので、前記床面等への使用は不可能である。
【特許文献１】特開平１０−３２１９１６公開特許公報
【発明の開示】
【発明が解決しようとする課題】
【０００８】
しかるに、本発明は、蓄光発光する自発光体に、ＬＥＤ発光体を被覆する通電保護スリーブ体の頭部を着脱自在に取付ける蓄光発光とＬＥＤ発光の併用型標示体として、日没間際や照明灯の近くでも充分な視認効果が得られるようにした。
【０００９】
さらに本発明は、通電保護スリーブ体と嵌合している蓄光発光する自発光体と離脱できるようにして、ＬＥＤ発光体を構成している球の交換や点検を容易にした。
【００１０】
また本発明は、ＬＥＤ発光体を前記自発光体によって被服しカバー状態にしてまぶしさを未然に防止した。
【００１１】
さらに本発明は、蓄光発光する自発光体の外側面部にパネル引掛け部を形成せしめて、パネルに各種の文字、絵柄等を形成せしめるために開けた窓孔に嵌め込んでも、容易に離脱しないようにした。
【００１２】
また本発明は、床面や壁面に埋め込んでも、前記自発光体が違和感を与えたりしない。
【００１３】
さらに本発明は、建物の天井部に使用することによって、天井部の装飾効果を発揮せしめると共に、非常時の避難誘導効果が期待できる。
【００１４】
また本発明は、ＬＥＤ発光色とされている５色のＬＥＤ発光体を使用してロープや樹木等に吊下げて装飾用のツリーランプ、アプローチやガーデニングランプ等として使用することができる。
【課題を解決するための手段】
【００１５】
上記課題を解決する手段として、請求項１記載のバックライト式蓄光発光標示体は、ＬＥＤ発光体が通電保護スリーブ体に被覆されており無機質の着色顔料と蓄光顔料とを含有する合成樹脂製の蓄光発光する自発光体が前記通電保護スリーブ体の上部に着脱自在に取り付けられていることを特徴とするバックライト式蓄光発光標示体である。
【００１６】
請求項２記載のバックライト式蓄光発光標示体は、ＬＥＤ発光球部とＬＥＤ発光部と口金部とからなるＬＥＤ発光体を挿入し被覆せしめ、外周部にパッキン固定部とゴムパッキン部とネジ込み凸部とを形成し、且リード線とを付設せしめる通電保護スリーブ体と、前記通電保護スリーブ体の上方部が挿入し、前記ＬＥＤ発光部とＬＥＤ発光球部と通電保護スリーブ体の上方部が嵌挿する中空部を有し、前記中空部の内側面部に前記ネジ込み凸部と嵌合するネジ込み凹部を形成し、且下方端部には開口部を有し、外周部にパネル引掛け部を設けた嵌挿部を形成し、前記嵌挿部の上方に蓄光発光部を有する無機質の着色顔料と蓄光顔料とを含有する合成樹脂の蓄光発光する自発光体とを別設し、前記自発光体の嵌挿部の中空部内に、前記通電保護スリーブ体の上方部を嵌挿し、前記ネジ込み凹部とネジ込み凸部とを嵌合し、前記開口部をパッキン固定部によって係止されている前記ゴムパッキンに密着せしめ、自発光体と通電保護スリーブ体が着脱自在に取付けられていることを特徴とするバックライト式蓄光発光標示体である。
【００１７】
請求項３記載のバックライト式蓄光発光標示体は、前記自発光体の蓄光発光部が、湾曲形状をしており、且前記蓄光発光部の外径が前記嵌挿部の外径よりも大であることを特徴とする請求項２記載のバックライト式蓄光発光標示体である。
【００１８】
請求項４記載のバックライト式蓄光発光標示体は、前記自発光体の嵌挿部が、パネルもしくはタイル等の孔部への嵌挿時に前記蓄光発光部のみが前記パネルもしくはタイル等の表面より突出し、前記嵌挿部の中空部内に前記通電保護スリーブ体の上方部を嵌脱自在に取り付けることを特徴とする請求項１又は同２又は同３記載のバックライト式蓄光発光標示体である。
【発明の効果】
【００１９】
請求項１記載のバックライト式蓄光発光標示体は、ＬＥＤ発光体が通電保護スリーブ体に被覆されており無機質の着色顔料と蓄光顔料とを含有する合成樹脂製の蓄光発光する自発光体が前記通電保護スリーブ体の上部に着脱自在に取り付けられているバックライト式蓄光発光標示体なので、日没間際の時間帯や照明灯の近くでも充分な視認効果が得られる。
【００２０】
さらに本発明は、停電時においてもＬＥＤの光を蓄光発光体が蓄えて自発光するので、いざという時の視認効果が期待できる利点がある。
【００２１】
また本発明は、本発明を構成する標示体のＬＥＤ発光体が半導体で作られている発光誘導体に加えられた電機エネルギーが変換して発光するしくみのため、発光色が極めて鮮明で、高い視認性を有している。
【００２２】
さらに本発明は、ドット文字や絵柄等を標示するために設けた嵌挿用の窓孔に蓄光発光する自発光体を着脱自在に取付けると、前記自発光体に取り付けられたＬＥＤ発光体がバックライトとして、まぶしくなく前記絵柄等を均質に標示せしめる利点がある。
【００２３】
また本発明は、床面、トンネル、地下鉄、地下道路等の壁面、建物等の天井部等に前記自発光体の蓄光発光部のみを飛出させれば、ＬＥＤ発光体がバックライトとして前記蓄光発光部をより一層発光する。
【００２４】
そのため、床面の場合夜間暗くなっても確実に視認できると共に、停電時等の避難その他暗部での歩行がしやすい利点がある。
【００２５】
さらに本発明は、トンネル、地下鉄、地下道路等の壁面の場合、標示したドット文字や図柄を確実に視認できるので、停電等の緊急避難や、その他一般の歩行時において目印となって極めて有効である。
【００２６】
また本発明は、天井等に吊下げると、自発光体がまぶしさのない灯りで発光して癒し効果が得られると共に、各種のデザインを施して装飾効果を発揮せしめたり、あるいは緊急避難の誘導用として役立たせることができる利点を有している。
【００２７】
つぎに、請求項２記載のバックライト式蓄光発光標示体は、ＬＥＤ発光球部とＬＥＤ発光部と口金部とからなるＬＥＤ発光体を挿入し被覆せしめ、外周部にパッキン固定部とゴムパッキン部とネジ込み凸部とを形成し、且リード線とを付設せしめる通電保護スリーブ体と、前記通電保護スリーブ体の上方部が挿入し、前記ＬＥＤ発光部とＬＥＤ発光球部と通電保護スリーブ体の上方部が嵌挿する中空部を有し、前記中空部の内側面部に前記ネジ込み凸部と嵌合するネジ込み凹部を形成し、且下方端部には開口部を有し、外周部にパネル引掛け部を設けた嵌挿部を形成し、前記嵌挿部の上方に蓄光発光部を有する無機質の着色顔料と蓄光顔料とを含有する合成樹脂の蓄光発光する自発光体とを別設し、前記自発光体の嵌挿部の中空部内に、前記通電保護スリーブ体の上方部を嵌挿し、前記ネジ込み凹部とネジ込み凸部とを嵌合し、前記開口部をパッキン固定部によって係止されている前記ゴムパッキンに密着せしめ、自発光体と通電保護スリーブ体が着脱自在に取付けられているバックライト式蓄光発光標示体なので、パネル等の窓孔に嵌込むと容易に離脱しない。そのため所定の目的のために構成されているドット文字や目標等を長期にわたり蓄光と発光の効果を発揮できる利点を有している。
【００２８】
さらに本発明は、ネジ込み凹部とネジ込み凸部とを嵌合させることによってＬＥＤ発光体を被覆する通電保護スリーブ体と自発光体との着脱が極めて容易である。そのためＬＥＤ発光体のメンテナンス作業が容易にできる利点がある。
【００２９】
また本発明は、前記通電保護スリーブ体に設けたパッキン固定部によって係止されているゴムパッキンに、前記自発光体の開口部が密着するようにしたので、防雨効果を充分に発揮できる。
【００３０】
さらに本発明は、前記した請求項１記載の発明と同じ効果を有している。
【００３１】
さらに請求項３記載の発明は、前記自発光体の蓄光発光部が、湾曲形状をしており、且前記蓄光発光部の外径が前記嵌挿部の外径よりも大であるバックライト式蓄光発光標示体なので、パネル等の窓孔に一旦嵌め込むと蓄光発光部によってパネルに対し確実に引掛り、ぐらつくことがない利点を有している。
【００３２】
さらに本発明は、蓄光発光部が湾曲形状をしているもので、何時もなめらかであり、手指が触れても違和感はない。また本発明の標示体が床面に埋没されたとしても、スリッパをはいて歩いたり、あるいは素足で歩いたりしても、引掛ることはない利点を有している。
【００３３】
また本発明は、請求項２記載の発明と同じ効果を有している。
【００３４】
請求項４記載の発明は、前記自発光体の嵌挿部が、パネルもしくはタイル等の孔部への嵌挿時に前記蓄光発光部のみが前記パネルもしくはタイル等の表面より突出し、前記嵌挿部の中空部内に前記通電保護スリーブ体の上方部を嵌脱自在に取り付けるバックライト式蓄光発光標示体なので、ＬＥＤ発光体のぎらぎらとした照明が前記自発光体によって遮断され、ＬＥＤ発光体の照明が発するまぶしさは全く存しない利点を有している。そのため前記自発光体の方向を直視しても眼の健康を損うことはない。
【００３５】
さらに本発明は、請求項１又は同２又は同３記載の効果を有している。
【発明を実施するための最良の形態】
【００３６】
本発明の請求項１〜４記載の発明の実施の形態は、共通するので一括して以下のとおり説明する。
【００３７】
図においてＡは、ＬＥＤ発光体ａが被覆されている通電保護スリーブ体ｂと、このスリーブ体ｂが着脱自在に取り付けられている無機質の着色顔料と蓄光顔料とを含有する合成樹脂製の蓄光発光する自発光体ｃとから構成されているバックライト式蓄光発光標示体である。
【００３８】
前記ＬＥＤ発光体ａの実施の形態につき説明すると以下のとおりである。
【００３９】
このＬＥＤ発光体ａは、半導体で作られている発光誘導体に加えられた電機エネルギーが変換して発光するしくみのため、発光色が鮮明で高い視認性が得られる。
【００４０】
さらに前記ＬＥＤ発光体ａは、一般電球と異なり球切れはなく取替えは殆んどないため、メンテナンスの煩わしさがない。
【００４１】
前記ＬＥＤ発光体ａは、一般電球のように熱を持たず、約１００，０００時間の寿命と、一球当り２０ｍＡ程度の定格電流のため電気使用料が僅かである。
【００４２】
さらに前記ＬＥＤ発光体ａは、一般電源（ＡＣ）が使用できることと、同一の保護スリーブソケットを使用してＤＣ１２Ｖの低電圧ＬＥＤ発光球１が使用できるため、電気使用料を更に押えることができる（但しＡＣ低減アダプターが必要である。）。
【００４３】
また前記ＬＥＤ発光体ａは、太陽電池及び蓄電池使用により、電球の引けない場所においても効果が期待できる。
【００４４】
さらに前記ＬＥＤ発光体ａは、コントローラーにより連続点灯、同時点滅、交互点滅などに制御できるため、所定の演出効果が期待できる。
【００４５】
前記ＬＥＤ発光体ａの下方外側面部には口金部２が形成されている。
【００４６】
以上のとおりＬＥＤ発光体ａは、ＬＥＤ発光球１と口金部２とが一体となって形成されている。
【００４７】
つぎに通電保護スリーブ体ｂの実施の形態を説明する。
【００４８】
前記通電保護スリーブ体ｂは、上方開口部３より前記ＬＥＤ発光体ａの口金部２より嵌挿せしめ、ＬＥＤ発光球１が前記開口部３より僅かに飛出した状態となるように組立てる。
【００４９】
さらに前記保護スリーブ体ｂの上方外周部４には、ネジ込み凸部５を突設する。そして前記ネジ込み凸部５の下方外周部６に、パッキン固定部７を突設する。
【００５０】
また前記パッキン固定部７の上方にゴムパッキン８を嵌挿載置せしめる。
【００５１】
９は前記保護スリーブ体ｂの下端部１０に取り付けたリード線結束部である。１１は前記リード線結束部９より分岐したリード線である。
【００５２】
以上の構成が保護スリーブ体ｂである。
【００５３】
さらに自発光体ｃの実施の形態につき説明すると以下のとおりである。
【００５４】
前記自発光体ｃは、上方部が湾曲状もしくは半球状の蓄光発光部１２と、前記蓄光発光部１２の裏面部１３より、前記蓄光発光部１２の下方部の外周縁部１４の径よりも径が小さく、且パネルｄに開けた孔部１６の径より小さい径を有する嵌挿部１５を設ける。
【００５５】
前記嵌挿部１５の上方部には、パネル引掛け部１７を形成する。
【００５６】
さらに前記パネル引掛け部１７は、前記嵌挿部１５の径より大きい径にし、下方の底面部１９は前記嵌挿部１５の径より小さい径とする。そのため前記底面部１９は図面図示のように傾斜状部２０が形成される。
【００５７】
前記嵌挿部１５の内側部分は、図面図示のように中空部２１を形成する。前記中空部２１は、前記保護スリーブ体ｂの上方部が嵌挿可能な径を有している。
【００５８】
さらに前記嵌挿部１５の中空部２１の内側面部２１ａに前記ネジ込み凸部５が挿入可能な対応型のネジ込み凹部２２を内設する。
【００５９】
また前記嵌挿部１５の中空部２１を構成する蓄光発光部１２は、図面図示のとおり均一の厚さとし、蓄光発光部１２の外側面部１２ａと比例する湾曲状もしくは球形状として、ＬＥＤ発光体ａのＬＥＤ発光球１が挿入しやすくする。
【００６０】
そして前記ネジ込み凸部５と嵌合するネジ込み凹部２２は、図面図示のとおり前記嵌挿部１５と前記蓄光発光部１２にかけて形成されている中空部２１の内側面部２１ａに形成してもよい。
【００６１】
本発明は前記自発光体ｃの実施の形態として、前記パネル引掛け部１７の実施の形態を図１と異なり、図２に図示のとおり、前記底面部１９に形成の傾斜状部２０の上面部２０ａが、嵌挿部１５の径より若干大きい径に拡径する。前記のように拡径されているので、パネルｄ等の孔部１６に嵌り込むと前記傾斜状部２０が前記孔部１６より径が大きいので引掛り係止される。
【００６２】
前記の構成からなる自発光体ｃは、蓄光発光させるために以下に示す合成樹脂製資材を使用するものである。
【００６３】
使用する合成樹脂は、ポリオレフィン、ポリプロピレン、ポリエチレン、ポリスチロール、ポリエチレンテレフタレート、ポリスチレン、ポリ塩化ビニール、ＡＢＳ、ポリメチルメタアクリレート、ポリアクリレート、ポリカーボネート、ポリアミド、熱可塑性ポリエステルのほか、ペットボトルの再生ペット等である。
【００６４】
さらに上記の各種合成樹脂と、無機質蓄光顔料と、着色顔料と、オイル等の添加剤とより成る混合物である。蓄光顔料の割合は、合成樹脂１００重量部に対して５〜１００重量部の範囲内で構成されている。そして上記合成樹脂、無機質蛍光顔料、着色顔料と微量の添加物とをブレンダー等で混合してブレンド混合品を得た後、当該ブレンド品を加熱処理し、２本の混合ローラー上または混練押出機またはバンバリーミキサー等の通常プラスチック混練機を用いて、均質混練後に円筒状にペレット化する。
【００６５】
また前記の混練したペレット組成物は、様々な成形方法で成形される。例えば、常圧成形、加圧成形、射出成形、押出成形、カレンダー成形等の成形方法があり、その１種または２種以上の組み合わせによる実施が可能である。
【００６６】
前記のように製造された前記蓄光発光体ｃは、着色顔料と蓄光顔料を含有することによって、日中の太陽光の紫外線をエネルギーとして蓄え、夜間の暗部で自発光して視認できる機能を発揮する。
【００６７】
さらに、蓄光発光体ｃの蓄光輝度は、従来の蓄光顔料の残光時間の２００分に対して１０倍の２，０００分の残光特性を有し、励起する光の波長が２００〜４００ナノメーターと広いため、一晩中光り輝く特性を有している。
【００６８】
また蓄光顔料は、アルミン酸塩化合物を主成分に希土類元素の賦活剤を添加焼成しているため、従来の蓄光顔料の硫化亜鉛を主成分としたものは残光輝度が少ない上に、有害な放射性物質を有していたが、本発明に実施されている蓄光顔料は長残光特性のほか放射性物質や有害物質を全く含まないため、環境にやさしい特性が得られる。
【００６９】
さらに本発明において実施される蓄光顔料は、アルミナを主成分とした酸化物であるため、光の吸収―発光―吸収―発光を半永久的に繰り返すことができ、自然界で安定した耐光性を発揮する。
【００７０】
図は本発明において採用されるアルミン酸塩化合物蓄光発光体Ｇ３００Ｍと従来夜光との残光特性を実験により比較したものである。
【００７１】
本発明は、前記スリーブ体ｂに、前記ＬＥＤ発光体ａを被覆して組立て一体にしたスリーブ体ｂの上方部を、前記自発光体ｃの中空部２１に嵌挿せしめ、ネジ込み凸部５とネジ込み凹部２２とを嵌合せしめると、自発光体ｃの底面部１９が、前記ゴムパッキン８に接触し密着する。
【００７２】
上記のように組み立てたバックライト式蓄光発光標示体Ａの使用につき説明すると以下のとおりである。
【００７３】
本発明の標示体Ａは、以下のようにして使用する。
【００７４】
パネルｄに使用するには、例えば支柱部２３の間に設けた懸架式パネルｄの所定個所に孔部１６を複数開ける。２５は取付枠部である。
【００７５】
前記孔部１６に保護スリーブ体ｂを先頭にして嵌挿させてやると、前記自発光体ｃの傾斜状部２０が傾斜状となっているので、孔部１６へは挿入がスムーズとなって、自発光体ｃの嵌挿部１５が前記孔部１６に嵌り込み前記蓄光発光部１２の裏面部１３が前記孔部１６の径より大であるため引掛り係止される。
【００７６】
前記のようにパネルｄに設けた複数の孔部１６に対し、標示体Ａを順次嵌め込んで所望する文字や絵柄を構成してやる。
【００７７】
上記のようにパネルｄの孔部１６に嵌め込んだ標示体Ａを構成する蓄光発光部１２が、昼間は太陽光によって蓄光し、前記の文字や絵柄がまぶしさを感ずることなく、鮮明に標示される（図７、８）。
【００７８】
つぎに本発明の標示体Ａを天井部２６に吊下げ使用するときは以下のようにする（図９）。
【００７９】
天井部２６に吊下げ金具２７を介して懸架パネルｄを吊下げる。
【００８０】
前記の懸架パネルｄも、前記パネルｄと同様に所望する文字や絵柄を表示可能な孔部１６を予め形成する。
【００８１】
前記天井部２６に吊下げたパネルｄの孔部１６に本発明の標示体Ａを嵌め込む手法は、前記のパネルｄの場合と全く同じなので、その具体的説明は省略する。
【００８２】
さらに本発明の標示体Ａを懸架タイルｅに使用するときは、予め前記懸架タイルｅに孔部２８を形成しておくものである。
【００８３】
そして前記孔部２８に対し、本発明の標示体Ａを嵌め込むには、保護スリーブ体ｂを先に挿入し、さらに自発光体ｃを挿し込むと図９、１０のように孔部２８に嵌り込んで係止される。
【００８４】
前記タイルｅが室外であれば太陽光によって蓄光し、暗くなれば発光する。
【００８５】
また室内においては、蛍光灯の照明に反応して蓄光し、暗くなれば発光する。
【００８６】
２９は目地モルタル部である。
【００８７】
さらに本発明の標示体Ａをアプローチや歩道、道路の路肩部の縁石など、車道以外の部分に使用することもできる。
【００８８】
３０は据付モルタル部であり、同部に形成した円筒部３０ａに本発明の標示体Ａを挿し込み使用する。さらに前記据付モルタル部３０の表面部より飛出している自発光体ｃの蓄光発光部１２の高さを低くするため、目地モルタル部３１を塗りつける（図１２、１３）。
【００８９】
３２は樹木であり、この樹木３２の枝部３３に本発明の標示体Ａを吊下げ使用できる。
【図面の簡単な説明】
【００９０】
【図１】バックライト式蓄光発光標示体の蓄光発光体の縦断正面図である。
【００９１】
【図２】蓄光発光体の第２実施例の縦断正面図である。
【００９２】
【図３】同通電保護スリーブ体の縦断面図である。
【００９３】
【図４】同バックライト式蓄光発光標示体の蓄光発光体の縦断正面図である。
【００９４】
【図５】図４の標示体の平面図である。
【００９５】
【図６】図３の標示体の底面図である。
【００９６】
【図７】本発明の標示体をパネルに嵌挿し使用した状態の一部切欠正面図である。
【００９７】
【図８】図６の標示体の一部切欠拡大右側面図である。
【００９８】
【図９】本発明の標示体を天井部に吊下げて使用する場合の一部切欠縦断面図である。
【００９９】
【図１０】本発明の標示体を床面に使用したときの一部切欠平面図である。
【０１００】
【図１１】図９の使用状態の一部切欠縦断面図である。
【０１０１】
【図１２】本発明の標示体を壁面及び縁石に埋込み使用した状態の一部切欠平面図である。
【０１０２】
【図１３】図１１の使用状態の一部切縦断面図である。
【０１０３】
【図１４】本発明の標示体をタイルに使用した床面の平面図である。
【０１０４】
【図１５】図１３に床面が夜間になって発光したときの平面図である。
【０１０５】
【図１６】本発明の標示体を樹木に吊下げたときの吊下げ状態を示す一部切欠平面図である。
【０１０６】
【図１７】蓄光発光体の発光輝度と残光期間との関係を示すグラフである。
【０１０７】
【図１８】蓄光発光体の発光強度と波長との関係を示すグラフである。
【符号の説明】
【０１０８】
Ａ      標示体
ａ      ＬＥＤ発光体
ｂ      保護スリーブ体
ｃ      自発光体
ｄ      パネル
ｅ      タイル
１      ＬＥＤ発光球
２      口金部
３      上方開口部
４      上方外周部
５      ネジ込み凸部
６      下方外周部
７      パッキン固定部
８      ゴムパッキン
９      リード線結束部
１０    下端部
１１    リード線
１２    蓄光発光部
１２ａ  標示体の外側面部
１３    裏面部
１４    外周縁部
１５    嵌挿部
１６    孔部
１７    パネル引掛部
１９    底面部
２０    傾斜状部
２０ａ  上面部
２１    中空部
２１ａ  内側面部
２２    ネジ込み凹部
２３    支柱部
２４    懸架パネル
２５    取付枠部
２６    天井部
２７    吊下げ金具
２８    孔部
２９    目地モルタル部
３０    据付モルタル部
３０ａ  円筒部
３１    目地モルタル部
３２    樹木
３３    枝部
【図１】
2007310268.tif 000003
【図２】
2007310268.tif 000004
【図３】
2007310268.tif 000005
【図４】
2007310268.tif 000006
【図５】
2007310268.tif 000007
【図６】
2007310268.tif 000008
【図７】
2007310268.tif 000009
【図８】
2007310268.tif 000010
【図９】
2007310268.tif 000011
【図１０】
2007310268.tif 000012
【図１１】
2007310268.tif 000013
【図１２】
2007310268.tif 000014
【図１３】
2007310268.tif 000015
【図１４】
2007310268.tif 000016
【図１５】
2007310268.tif 000017
【図１６】
2007310268.tif 000018
【図１７】
2007310268.tif 000019
【図１８】
2007310268.tif 000020